(57)【要約】【課題】複数ある像保持体各々の抵抗を測定することができる。【解決手段】共通電源である帯電用高圧電源部７０に電圧Ｅ１の印加を指示し（ステップ１００）、このときの電流値Ｉ１を読取り（ステップ１０２）、像保持体１６ｎ（ｎ＝Ｋ、Ｃ、Ｍ、Ｙ）に対する転写ローラ５２ｎの転写用高圧電源部７２ｎに電圧Ｅ２の印加を指示し（ステップ１０６）、このときの電流値Ｉ２ｎを読取り（ステップ１１２）、像保持体１６ｎの抵抗ＲｎをＲｎ＝Ｅ２／（Ｉ２ｎ−Ｉ１）により算出する（ステップ１１６）。【選択図】図５
2008058808.tif 000002
【特許請求の範囲】
【請求項１】
表面に静電潜像が形成される複数の像保持体各々の表面を帯電させる複数の帯電手段と、
前記帯電手段の各々に共通に電圧を印加するための共通電源と、
前記複数の像保持体の各々に設けられると共に、前記像保持体各々の表面に形成された静電潜像を現像することによって形成されたトナー像を記録媒体に転写する複数の転写手段と、
前記転写手段の各々に転写用の電圧を印加するための転写用電源と、
前記共通電源から負荷としての帯電手段に流れる電流を検出する電流検出手段と、
前記転写用の電圧の印加を停止して前記共通電源から前記帯電手段の各々に第１の電圧を印加した状態で前記電流検出手段により検出された第１の電流値と、前記共通電源からの前記第１の電圧の印加を停止し、かつ目的とする像保持体に設けられた転写手段に前記転写用電源から第２の電圧を印加した状態で前記電流検出手段により検出された第２の電流値との差、及び前記第２の電圧の電圧値を用いて前記目的とする像保持体の抵抗を算出する像保持体抵抗算出手段と、
を含む画像形成装置。
【請求項２】
前記像保持体抵抗算出手段により算出した像保持体の抵抗が予め定められた値未満の場合に、前記像保持体を異常と判断する判断手段を更に備えた請求項１に記載の画像形成装置。
【請求項３】
前記像保持体各々の表面に形成された静電潜像を現像する現像手段と、前記現像手段の各々に現像用の電圧を印加するための現像用電源と、前記像保持体の抵抗と前記現像手段に前記現像用電源から印加される電圧との所定の関係を予め記憶した記憶手段と、前記像保持体抵抗算出手段により算出した像保持体の抵抗が予め定められた値以上の場合に、前記記憶手段に記憶された前記所定の関係に基づいて、前記現像用電源から前記現像手段に印加する電圧を制御する現像用電源制御手段とを更に備えた請求項１または請求項２に記載の画像形成装置。
【請求項４】
前記電流検出手段を、前記帯電手段に流れる電流を電圧に変換して出力するオペアンプと、オペアンプ出力と電流値との関係を記憶したメモリと、を含んで構成した請求項１乃至請求項３の何れか１項に記載の画像形成装置。
【発明の詳細な説明】
【技術分野】
【０００１】
本発明は、画像形成装置に関する。
【背景技術】
【０００２】
一般に、高画質なカラー画像を高速で得ることができる画像形成装置として、安価かつ、複雑な制御を必要としないタンデム型フルカラープリンタが知られている。タンデム型フルカラープリンタでは、複数の像保持体を帯電させるために像保持体の各々に設けられた複数の帯電装置に共通電源から共通に電圧を印加している（例えば、特許文献１参照）。
【０００３】
また、電流検出手段を設け、帯電装置に流れる電流を電流検出手段により検出し、検出された電流値に基づいて帯電装置の抵抗を測定する技術が知られている（例えば、特許文献２参照）。
【特許文献１】特開２００４−６２０１６号公報
【特許文献２】特開２００２−１０８０６８号公報
【発明の開示】
【発明が解決しようとする課題】
【０００４】
しかしながら、電流検出手段により検出された電流値に基づいて、複数ある像保持体の抵抗を測定しようとすると、像保持体の各々に設けられた複数の帯電装置の電源が共通電源である場合には、像保持体各々の抵抗を測定することが困難である。
【０００５】
本発明は、上記問題を解消するためになされたもので、共通電源を用いた場合でも複数ある像保持体各々の抵抗を測定することができる画像形成装置を提供することを目的とする。
【課題を解決するための手段】
【０００６】
上記目的を達成するために、本発明の画像形成装置は、表面に静電潜像が形成される複数の像保持体各々の表面を帯電させる複数の帯電手段と、前記帯電手段の各々に共通に電圧を印加するための共通電源と、前記複数の像保持体の各々に設けられると共に、前記像保持体各々の表面に形成された静電潜像を現像することによって形成されたトナー像を記録媒体に転写する複数の転写手段と、前記転写手段の各々に転写用の電圧を印加するための転写用電源と、前記共通電源から負荷としての帯電手段に流れる電流を検出する電流検出手段と、前記転写用の電圧の印加を停止して前記共通電源から前記帯電手段の各々に第１の電圧を印加した状態で前記電流検出手段により検出された第１の電流値と、前記共通電源からの前記第１の電圧の印加を停止し、かつ目的とする像保持体に設けられた転写手段に前記転写用電源から第２の電圧を印加した状態で前記電流検出手段により検出された第２の電流値との差、及び前記第２の電圧の電圧値を用いて前記目的とする像保持体の抵抗を算出する像保持体抵抗算出手段と、を含むことを特徴とする。
【０００７】
本発明の画像形成装置では、表面に静電潜像が形成される複数の像保持体各々の表面を帯電させる複数の帯電手段の各々に共通に共通電源から電圧が印加される。複数の転写手段は、複数の像保持体の各々に設けられると共に、像保持体各々の表面に形成された静電潜像を現像することによって形成されたトナー像を記録媒体に転写する。転写用電源は、転写手段の各々に転写用の電圧を印加する。電流検出手段は、共通電源から負荷としての帯電手段に流れる電流を検出する。像保持体抵抗算出手段は、転写用の電圧の印加を停止して共通電源から帯電手段の各々に第１の電圧を印加した状態で電流検出手段により検出された第１の電流値と、共通電源からの第１の電圧の印加を停止し、かつ目的とする像保持体に設けられた転写手段に転写用電源から第２の電圧を印加した状態で電流検出手段により検出された第２の電流値との差、及び第２の電圧の電圧値を用いて目的とする像保持体の抵抗を算出する。このように本発明の画像形成装置では、転写用の電圧の印加を停止して共通電源から帯電手段の各々に第１の電圧が印加されるので、複数の像保持体の表面は第１の電圧により帯電される。また、共通電源からの第１の電圧の印加を停止し、かつ目的とする像保持体に設けられた転写手段に転写用電源から第２の電圧が印加されるので、複数の像保持体のうち、目的とする像保持体のみが第１の電圧及び第２の電圧によって帯電された状態になる。従って、電流検出手段により検出された第１の電流値と第２の電流値との差、及び第２の電圧の電圧値を用いて目的とする像保持体の抵抗を算出することができる。
【０００８】
本発明では、前記像保持体抵抗算出手段により算出した像保持体の抵抗が予め定められた値未満の場合に、前記像保持体を異常と判断する判断手段を更に備えることができる。
【０００９】
前記像保持体各々の表面に形成された静電潜像を現像する現像手段と、前記現像手段の各々に現像用の電圧を印加するための現像用電源と、前記像保持体の抵抗と前記現像手段に前記現像用電源から印加される電圧との所定の関係を予め記憶した記憶手段と、前記像保持体抵抗算出手段により算出した像保持体の抵抗が予め定められた値以上の場合に、前記記憶手段に記憶された前記所定の関係に基づいて、前記現像用電源から前記現像手段に印加する電圧を制御する現像用電源制御手段とを更に備えることができる。
【００１０】
前記電流検出手段を、前記帯電手段に流れる電流を電圧に変換して出力するオペアンプと、オペアンプ出力と電流値との関係を記憶したメモリと、を含んで構成することができる。
【発明の効果】
【００１１】
以上説明したように、請求項１に記載の本発明によれば、複数の像保持体各々の表面を帯電させる複数の帯電手段の各々に共通に電圧を印加するための共通電源に第１の電圧を印加したときの第１の電流値と目的とする像保持体に設けられた転写手段の転写用電源に第２の電圧を印加したときの第２の電流値との差、及び第２の電圧の電圧値とを用いて目的とする像保持体の抵抗を算出したので、共通電源を用いた場合でも複数ある像保持体各々の抵抗を測定することができる、という効果が得られる。
【００１２】
請求項２に記載の本発明によれば、複数ある像保持体各々の抵抗を測定することができるため、像保持体の異常を判断することができる、という効果が得られる。
【００１３】
請求項３に記載の本発明によれば、複数ある像保持体各々の抵抗を測定することができるため、像保持体の表面に形成された静電潜像を現像する電圧を制御することができる、という効果が得られる。
【００１４】
請求項４に記載の本発明によれば、電流検出手段をオペアンプ及びオペアンプ出力と電流値との関係を記憶したメモリとを含んで構成することができるため、帯電手段に流れる電流をオペアンプで検出することができる、という効果が得られる。
【発明を実施するための最良の形態】
【００１５】
図１は、本実施の形態に係る画像形成装置１０の概略構成を示す図である。画像形成装置１０は、用紙Ｐに直接、画像を形成するタンデム型フルカラープリンタである。
【００１６】
画像形成装置１０では、ブラック（Ｋ）、シアン（Ｃ）、マゼンタ（Ｍ）、イエロー（Ｙ）の各色のトナー画像をそれぞれ用紙Ｐに順次転写し、フルカラー画像形成を行うためのプロセスカートリッジ１４Ｋ、１４Ｃ、１４Ｍ、１４Ｙが上下方向に配置されている。
【００１７】
画像形成装置１０の下部には、用紙Ｐが収納された給紙カセット２４が設けられている。給紙カセット２４の近傍には、用紙Ｐを所定のタイミングで送り出すピックアップロール２６が設けられている。ピックアップロール２６によって給紙カセット２４から送り出された用紙Ｐは、搬送ロール２８及びレジストレーションロール３０を介して、用紙搬送路３２へ送り込まれ、プロセスカートリッジ１４に用紙Ｐを搬送する搬送装置４４へ搬送される。
【００１８】
なお、ＫＣＭＹを区別する必要がある場合は、符号の後にＫ、Ｃ、Ｍ、Ｙの何れかを付して説明し、ＫＣＭＹを区別する必要が無い場合は、Ｋ、Ｃ、Ｍ、Ｙを省略する。
【００１９】
各色のプロセスカートリッジ１４は、用紙搬送路３２の下流側から上流側に向って前述のＫ、Ｃ、Ｍ、Ｙの色の順に配設されており、像保持体１６と、像保持体１６の周囲に配設された帯電ローラ１８と、クリーニング装置２０と、各色のトナーが収容されるとともに、像保持体１６の表面に形成された静電潜像を、各色のトナーを用いて現像する現像装置６４とで構成されている。
【００２０】
図２は、本実施の形態の画像形成装置１０の主要構成を示す図である。像保持体１６Ｋ、１６Ｃ、１６Ｍ、１６Ｙの周囲には各々の表面を帯電させるための帯電ローラ１８Ｋ、１８Ｃ、１８Ｍ、１８Ｙ、現像装置６４Ｋ、６４Ｃ、６４Ｍ、６４Ｙ及び、転写ローラ５２Ｋ、５２Ｃ、５２Ｍ、５２Ｙが配設されている。帯電ローラ１８Ｋ、１８Ｃ、１８Ｍ、１８Ｙには、共通の帯電用高圧電源部７０から同一の電圧が印加され、電流検出部８６は、帯電用高圧電源部７０から帯電ローラ１８Ｋ、１８Ｃ、１８Ｍ、１８Ｙを含む負荷に流れる電流の電流値を検出する。
【００２１】
本実施の形態における電流検出部８６は、図３に示すようにオペアンプ８８を用いて構成されている。オペアンプ８８の非反転端子には基準電圧源が接続されており、反転端子は帯電用高圧電源部７０に接続され、出力端子は制御部８０に接続されている。また、反転端子と出力端子との間にはフィードバック抵抗が接続されている。電流検出部８６は負荷に流れる電流を電圧に変換して出力端子から出力するので、出力される電圧値と対応する電流値との関係を予め、メモリ８４（図４）に記憶しておくことにより、電流検出部８６から出力される電圧から負荷に流れる電流値を検出することができる。なお、電流検出部８６はこれに限らず、他の電流計を用いても良い。また、現像装置６４Ｋ、６４Ｃ、６４Ｍ、６４Ｙには、各々現像用高圧電源部６６Ｋ、６６Ｃ、６６Ｍ、６６Ｙから制御部８０（図４）の指示により現像用電圧が印加される。転写ローラ５２Ｋ、５２Ｃ、５２Ｍ、５２Ｙは、用紙Ｐを介して各々像保持体１６Ｋ、１６Ｃ、１６Ｍ、１６Ｙに接している。転写用高圧電源部７２Ｋ、７２Ｃ、７２Ｍ、７２Ｙは、転写用電圧、及び像保持体１６Ｋ、１６Ｃ、１６Ｍ、１６Ｙの表面に残留するトナーを回収するクリーニングのために印加される転写用電圧とは逆極の電圧の二種類の電圧を印加する電源で構成され、制御部８０（図４）の指示でスイッチ７３Ｋ、７３Ｃ、７３Ｍ、７３Ｙを切換えることにより転写装置５２Ｋ、５２Ｃ、５２Ｍ、５２Ｙの各々にいずれか一方の電圧を印加する。
【００２２】
プロセスカートリッジ１４の図中左側には、プロセスカートリッジ１４に走査光を照射する露光装置３４が配設されている。
【００２３】
露光装置３４は、筐体３６内に配設された図示しない半導体レーザ、ポリゴンミラー３８、結像レンズ４０及びミラー４２により構成されており、半導体レーザからの光は、ポリゴンミラー３８で偏向走査され、結像レンズ４０とミラー４２を介して像保持体１６に照射される。これにより、像保持体１６に、画像情報に応じた静電潜像が形成される。
【００２４】
また、画像形成装置１０の図中右側（像保持体１６と対向する位置）には、前述の搬送装置４４が配設されている。搬送装置４４は、画像形成装置１０の側壁１０Ａに沿って設けられた一対の張架ロール４６、４８と、この張架ロール４６、４８に巻き掛けられた搬送ベルト５０とで構成されている。張架ロール４８は、図示しないモータによって回転され、搬送ベルト５０が移動する。
【００２５】
張架ロール４６の近傍には、吸着ロール５４が配設されており、この吸着ロール５４に電圧が印加されることによって、搬送ベルト５０に用紙Ｐが静電的に吸着される。
【００２６】
また、搬送ベルト５０の裏面の、各色の像保持体１６に対向する位置には、それぞれ転写ローラ５２が配設されている。この転写ローラ５２によって、像保持体１６上のトナー像が、搬送ベルト５０によって搬送される用紙Ｐに転写され、定着装置５６で定着される。そして、トナー像が定着された用紙Ｐは、排出ロール５８によって排出トレイ６０へ排出される。
【００２７】
図４は、本実施の形態に係る画像形成装置１０の制御系のブロック図である。なお、ここではプロセスカートリッジ１４はＫＣＭＹ４色のうちＫ色のみを代表させて図示した。
【００２８】
制御部８０には、ＩＯＴコントローラ９０が接続されており、ＩＯＴコントローラ９０には、ユーザインターフェイス９２が接続され、ユーザの操作によって画像形成等に関する指示がなされると共に、画像形成時の情報をユーザへ報知するようになっている。更に、ＩＯＴコントローラ９０には、図示しない外部ホストコンピュータとのネットワークラインが接続されており、画像データが入力される。
【００２９】
制御部８０は、ＣＰＵ８２、ＲＯＭ、ＲＡＭ、及びＨＤＤを含むメモリ８４を備えており、電流検出部８６が接続されている。ＣＰＵ８２では、像保持体１６Ｋ、１６Ｃ、１６Ｍ、１６Ｙ各々の抵抗を測定するために、詳細を後述する制御ルーチンが実行される。制御ルーチンのプログラムは記憶媒体としてのＲＯＭに記憶されている。メモリ８４のＨＤＤには、詳細を後述するオペアンプ８８の出力電圧値Ｖと電流値Ｉとの関係、像保持体１６の異常を判断するための閾値Ｘ、及び像保持体１６の抵抗Ｒと現像用印加電圧Ｙとの関係が予め記憶されている。
【００３０】
また、制御部８０には、帯電用高圧電源部７０が接続されており、帯電用高圧電源部７０には、帯電ローラ１８Ｋ、１８Ｃ、１８Ｍ、１８Ｙが接続されている。さらに、制御部８０には、転写用高圧電源部７２Ｋ、７２Ｃ、７２Ｍ、７２Ｙが接続されており、転写用高圧電源部７２Ｋ、７２Ｃ、７２Ｍ、７２Ｙには、各々、転写ローラ５２Ｋ、５２Ｃ、５２Ｍ、５２Ｙが接続されている。さらにまた、制御部８０には、現像用高圧電源部６６Ｋ、６６Ｃ、６６Ｍ、６６Ｙが接続されており、現像用高圧電源部６６Ｋ、６６Ｃ、６６Ｍ、６６Ｙには、各々、現像装置６４Ｋ、６４Ｃ、６４Ｍ、６４Ｙが接続されている。
【００３１】
次に、本実施の形態の画像形成装置１０において実行される制御ルーチンを図５を参照して説明する。図５に示す処理は、例えば、画像形成装置１０の電源投入時やＩＯＴコントローラ９０から印刷を実行する指示が制御部８０に入力されたときに実行される。
【００３２】
まず、制御部８０にＩＯＴコントローラ９０から指示が入力されると、ステップ１００では、帯電用高圧電源部７０に帯電ローラ１８Ｋ、１８Ｃ、１８Ｍ、１８Ｙに電圧Ｅ１が印加されるようにスイッチ７１をオンする。これにより、帯電ローラ１８Ｋ、１８Ｃ、１８Ｍ、１８Ｙにはそれぞれ帯電用高圧電源部７０からスイッチ７１を介して電圧Ｅ１が印加され、各々の像保持体１６Ｋ、１６Ｃ、１６Ｍ、１６Ｙの表面は、電圧Ｅ１に帯電される（図６（Ａ））。なお、このとき、転写装置用高圧電源部７２Ｋ、７２Ｃ、７２Ｍ、７２Ｙ各々のスイッチ７３Ｋ、７３Ｃ、７３Ｍ、７３Ｙはオフになっており、転写ローラ５２Ｋ、５２Ｃ、５２Ｍ、５２Ｙは接地され、電圧が印加されていない状態となっている。
【００３３】
次のステップ１０２では、オペアンプ８８の出力電圧値Ｖ１を取り込み、メモリ８４に記憶されているオペアンプ８８の出力電圧値Ｖと電流値Ｉとの関係に基づいて電圧値Ｖ１に対応する電流値Ｉ１を読取って、メモリ８４、すなわちメモリ８４のＲＡＭに記憶する。本実施の形態におけるオペアンプ８８の出力電圧値Ｖと電流値Ｉとの関係の一例を図７に示す。
【００３４】
次のステップ１０４では、スイッチ７１をオフして、帯電ローラ１８を接地し、帯電用高圧電源部７０から電圧Ｅ１の印加を停止し、次のステップ１０６では、像保持体１６ｎ（ｎ＝Ｋ、Ｃ、Ｍ、Ｙ）に対する転写ローラ５２ｎの転写用高圧電源部７２ｎに転写ローラ５２ｎに電圧Ｅ２が印加されるようにスイッチ７３ｎをオンする。これにより、転写ローラ５２ｎには、転写用高圧電源部７２ｎからスイッチ７３ｎを介して転写電圧Ｅ２が印加される。像保持体１６ｎは、表面が一様に帯電すると、自己放電するために時間を必要とするため、ステップ１０４でスイッチ７１をオフして帯電ローラに印加される電圧を停止しても、一時的に帯電電圧を維持している。像保持体１６ｎが電圧Ｅ１に帯電した状態で、転写ローラ５２ｎに電圧Ｅ２が印加されるので、像保持体１６ｎの表面は電圧（Ｅ１＋Ｅ２）に帯電された状態になる（図６（Ｂ））。
【００３５】
次のステップ１０８では、スイッチ７３ｎをオフして転写用高圧電源部７２ｎに電圧Ｅ２の印加停止を指示し、次のステップ１１０では、スイッチ７１をオンし帯電用高圧電源部７０から帯電ローラ１８Ｋ、１８Ｃ、１８Ｍ、１８Ｙに電圧Ｅ１を印加するように制御し、ステップ１１２へ進む。ステップ１１２では、オペアンプ８８の出力電圧値Ｖ２ｎを取り込み、メモリ８４に記憶されているオペアンプ８８の出力電圧値Ｖと電流値Ｉとの関係に基づいて電圧値Ｖ２ｎに対応する電流値Ｉ２ｎを読取って、メモリ８４に記憶する（図６（Ｃ））。
【００３６】
次のステップ１１４では、メモリ８４に記憶した電流値Ｉ２ｎと電流値Ｉ１との差（Ｉ２ｎ−Ｉ１）を算出し、次のステップ１１６では、負荷の抵抗、すなわち像保持体１６ｎの抵抗Ｒｎを式（１）により算出し、メモリ８４に記憶する。
【００３７】
Ｒｎ＝Ｅ２／（Ｉ２ｎ−Ｉ１）    ・・・・・・（１）
これにより、像保持体１６ｎの抵抗Ｒｎを算出することができる。
【００３８】
次のステップ１１８では、メモリ８４から像保持体１６ｎの異常を判断するための基準となる閾値Ｘを読込み、次のステップ１２０では像保持体１６ｎの抵抗Ｒｎが閾値Ｘ未満であるか否かを判断する。肯定されると、ステップ１２２に進み、例えば、ＩＯＴコントローラ９０を介してユーザインターフェイス９２に異常を示す出力を指示する等、像保持体１６ｎの異常を表す所定の処理を行った後、ステップ１３０に進む。像保持体１６ｎは経時劣化等によって抵抗Ｒｎが下がると該像保持体１６ｎにより形成された画像に、欠陥であるディフェクト等が生じるようになる。本実施の形態では、このような形成された画像にディフェクト等が生じる状態の像保持体１６ｎを異常としている。そのため、例えば良好な画像が得れるように、像保持体１６ｎの抵抗Ｒｎの閾値Ｘを予め実験等により得ておき、抵抗Ｒｎが閾値Ｘ未満の場合を異常と判断する。これにより、像保持体１６ｎの経時劣化等の状態がわかるので、例えば、像保持体１６ｎの寿命を把握することができ、像保持体１６ｎの交換をユーザに促すことができる。従って、良好な画像が得られるようになる。
【００３９】
一方、ステップ１２０で否定判断の場合は、ステップ１２４に進み、メモリ８４から像保持体１６ｎの抵抗Ｒｎと現像用印加電圧Ｙｎとの関係を読取る。本実施の形態における、像保持体１６ｎの抵抗Ｒｎと現像用印加電圧Ｙｎとの関係の一例を表１に示す。
【００４０】
【表１】
2008058808.tif 000003
なお、表１は、閾値Ｘが３０Ｍ（Ω）の場合である。
【００４１】
なお、像保持体１６ｎの抵抗Ｒｎと現像用印加電圧Ｙｎとの関係はこれに限らず、予め、像保持体１６ｎの表面に形成された静電潜像を現像し、トナー像を形成するために最適となる現像用印加電圧Ｙｎを実験等により得ておき、メモリ８４に記憶させておいてもよい。
【００４２】
次のステップ１２６では、像保持体１６ｎの抵抗Ｒｎに対応する現像装置６４ｎの印加電圧Ｙｎを決定し、次のステップ１２８では、現像用高圧電源部６６ｎに印加電圧Ｙｎを指示する。これにより、現像装置６４ｎは像保持体１６ｎの表面に形成された静電潜像を現像用高圧電源部６６ｎからスイッチ６７ｎを介して印加された印加電圧Ｙｎで現像し、トナー像を形成することができる。
【００４３】
次のステップ１３０では、像保持体１６ｎの全てについて処理を終了したか否かを判断する。否定されると未処理の像保持体１６Ｍについて処理を実行するために、ステップ１３２に進み、所定時間が経過したか否かを例えば、制御部８０の図示しないタイマー等により判断し、否定されると待機状態になり、肯定されると他の像保持体１６を選択（他のｎを選択）し、ステップ１００へ戻り本処理を繰返す。上記ステップ１０２の処理を実施するときには、全ての像保持体１６は同じ電圧に帯電されていなくてはならないが、上記ステップ１０６の処理により、像保持体１６ｎのみ他の像保持体１６と異なり、表面が電圧（Ｅ１＋Ｅ２）に帯電された状態（他の像保持体１６は電圧Ｅ１に帯電された状態）になっている。そこで、ステップ１３２では、全ての像保持体１６が例えば、自己放電等により帯電電圧が０になるまでの所定時間が経過したか否かを判断する。帯電電圧が０になるまでの時間は、予め実験等により得ておけばよい。なお、これに限らず、例えば、像保持体１６の表面に、帯電電圧と同じ、且つ逆極性の電圧を印加する等の処理を行うようにしても良い。一方、ステップ１３０で肯定判断された場合は、本処理を終了する。
【００４４】
なお、上記ステップ１０４では帯電用高圧電源部に対して、またステップ１０８では転写用高圧電源部に対して電圧印加オフを指示しているが、電圧を印加したまま次のステップに進んでも良い。なお、電流検出部により正確に電流を検出するためには、画像形成装置１０に流れる電流の経路を一方向とすることが好ましいため、電圧の印加を停止することが好ましい。
【００４５】
以上説明したように、本実施の形態の画像形成装置では、複数の像保持体各々の表面を帯電させる複数の帯電ローラの各々に共通に電圧を印加するための帯電用高圧電源部に電圧Ｅ１を印加したときに電流検出部から読取った電流値Ｉ１と、さらに目的とする像保持体に対応する転写ローラの転写用高圧電源部に電圧Ｅ２を印加したときに電流検出部から読取った電流値Ｉ２との差、及び電圧Ｅ２とを用いて該目的とする像保持体の抵抗を算出するため、共通電源を用いた場合でも複数ある像保持体各々の抵抗を測定することができる。また、複数ある像保持体各々の抵抗を測定することができるため、予め定めた閾値と比較することにより、像保持体の異常を判断することができ、像保持体の経時劣化や寿命等を判断することができる。さらにまた、像保持体の表面に形成された静電潜像を現像するために現像用高圧電源部から現像装置に印加する電圧を制御することができる。
【図面の簡単な説明】
【００４６】
【図１】本発明の実施の形態に係る画像形成装置の概略構成を示す図である。
【図２】本発明の実施の形態に係る画像形成装置の主要構成を示す図である。
【図３】本発明の実施の形態に係る電流検出部の一例を説明するための説明図である。
【図４】本発明の実施の形態に係る画像形成装置の制御系のブロック図である。
【図５】本発明の実施の形態に係る画像形成装置で実行される制御処理のフローである。
【図６】帯電ロールと転写ローラの印加電圧、及び像保持体の帯電電圧を説明するための説明図である。
【図７】オペアンプの出力電圧値と電流値との関係の一例を説明するための説明図である。
【符号の説明】
【００４７】
１０  画像形成装置
１６  像保持体
１８  帯電ローラ
５２  転送ローラ
６４  現像装置
６６  現像用高圧電源部
７０  帯電用高圧電源部
７２  転写用高圧電源部
８０  制御部
８６  電流検出部
８８  オペアンプ
【図１】
2008058808.tif 000004
【図２】
2008058808.tif 000005
【図３】
2008058808.tif 000006
【図４】
2008058808.tif 000007
【図５】
2008058808.tif 000008
【図６】
2008058808.tif 000009
【図７】
2008058808.tif 000010